(57)【要約】      （修正有）【課題】ヒンジ止めされたＵＳＢコネクタを提供し、電力及びデータがコンピュータを介してＵＳＢコネクタに供給され、よって、ヒンジ止め手段によってＵＳＢコネクタに接続された装置に電力及びデータを提供することを課題とする。【解決手段】装置の一以上の端部が、ヒンジ止め手段によって、ＵＳＢコネクタ２に接続され、装置の折り畳み可能な端部に凹型スロット２２が形成され、その凹型スロットの両側面にはヒンジシャフト４００の挿入のための挿入孔が設けられ、ＵＳＢコネクタが、凹型スロットに対応して挿入される凸部２１を有し、ＵＳＢコネクタ及び装置を接続するヒンジシャフトの挿入のための貫通孔を有する。その装置は、照明装置、ＵＳＢフラッシュディスク、ＭＰ３機器、ブルートゥース（登録商標）機器、陰イオン発生器、充電器、又は小型デジタルカメラ適用可能である。【選択図】図１
0003111920.tif 000002
【実用新案登録請求の範囲】
【請求項１】
装置の一以上の端部が、ヒンジ止め手段でＵＳＢコネクタに接続されることを特徴とする、ヒンジ止めされたＵＳＢコネクタを有する装置。
【請求項２】
装置の端部に凹型スロットが設けられ、
凹型スロットの両側面に、ヒンジシャフトを挿入するための挿入孔が設けられ、
ＵＳＢコネクタが凸部を有し、該凸部の形状及び位置が凹型スロットに対応し、
凸部が、凹型スロットに挿入され、ヒンジシャフトを挿入するために、該凹型スロットの挿入孔に対応する位置に貫通孔を有し、及び
ヒンジシャフトが、ＵＳＢコネクタ及び装置を接続する、
請求項１に記載のヒンジ止めされたＵＳＢコネクタを有する装置。
【請求項３】
装置に接続されるＵＳＢコネクタの端部に、凹型スロットが設けられ、
凹型スロットの両側面に、位置決めピンを挿入するための挿入孔が設けられ、
装置が、凸部を有し、該凸部の形状及び位置は該凹型スロットに対応し、
凸部が、凹型スロットの挿入孔に対応する位置に位置決めピンを有し、
凸部が、凹型スロットに挿入され、及び
該位置決めピンが、ＵＳＢコネクタ及び装置を接続する、
請求項１に記載のヒンジ止めされたＵＳＢコネクタを有する装置。
【請求項４】
装置の両端部が、ヒンジ止め手段で、ＵＳＢコネクタ及び機能デバイスに接続されることを特徴とする、請求項１に記載のヒンジ止めされたＵＳＢコネクタを有する装置。
【請求項５】
装置の両端部に、凹型スロットが設けられ、
凹型スロットの両側面に、ヒンジシャフトを挿入するための挿入孔が設けられ、
ＵＳＢコネクタ及び機能デバイスが、凸部を有し、該凸部の形状及び位置は凹型スロットに対応し、
凸部が、凹型スロットに挿入され、ヒンジシャフトを挿入するために、凹型スロットの挿入孔に対応する箇所に貫通孔を有し、及び
ヒンジシャフトが、ＵＳＢコネクタ及び機能デバイスを装置に接続する、
請求項１に記載のヒンジ止めされたＵＳＢコネクタを有する装置。
【請求項６】
装置に接続されるＵＳＢコネクタの端部に、凹型スロットが設けられ、
機能デバイスの端部にも凹型スロットが設けられ、
各スロットの両側面に、位置決めピンを挿入するための挿入孔が設けられ、
装置の各端部に、凸部が設けられ、該凸部の形状及び位置が、ＵＳＢコネクタの凹型スロット又は機能デバイスの凹型スロットに対応し、
凸部が、凹型スロットの挿入孔に対応する位置に、位置決めピンを有し、
凸部が、凹型スロットに挿入され、及び
位置決めピンが、ＵＳＢコネクタ及び機能デバイスを装置に接続する、
請求項１に記載のヒンジ止めされたＵＳＢコネクタを有する装置。
【請求項７】
装置の一方の端部に、凹型スロットが設けられ、
装置に接続されるＵＳＢコネクタの端部に、凸部が設けられ、該凸部の形状及び位置が凹型スロットに対応し、
装置の他の一方の端部に凸部が形成され、該凸部の形状及び位置が機能デバイスの凹型スロットに対応し、
各凸部が、凹型スロットの挿入孔に対応する位置に、位置決めピンを有し、
各凸部が、凹型スロットに挿入され、及び
位置決めピンが、ＵＳＢコネクタおよび機能デバイスを装置に接続する、
請求項１に記載のヒンジ止めされたＵＳＢコネクタを有する装置。
【請求項８】
ケーブルが、ヒンジシャフト又は位置決めピンの貫通孔を通り、ＵＳＢコネクタ及び装置に接続される、請求項１に記載のヒンジ止めされたＵＳＢコネクタを有する装置。
【請求項９】
前記装置が、照明装置、ＵＳＢフラッシュディスク（メモリ）、ＭＰ３機器、ブルートゥース機器、陰イオン発生器、充電器、又は小型デジタルカメラである、請求項１に記載のヒンジ止めされたＵＳＢコネクタを有する装置。
【考案の詳細な説明】
【技術分野】
【０００１】
本考案はＵＳＢコネクタを有する装置に関し、より詳しくは、ヒンジ止めされたＵＳＢコネクタを有する装置に関する。本考案の装置は、照明装置、ＵＳＢフラッシュディスク（メモリ）、ＭＰ３機器、ブルートゥース（登録商標）機器、陰イオン発生器、充電器、小型デジタルカメラに適用可能である。
【背景技術】
【０００２】
現在のＵＳＢコネクタは一般的にコンピュータ装置にプラグイン接続される。ＵＳＢコネクタはまた、照明装置、ＵＳＢフラッシュディスク（メモリ）、ＭＰ３機器、ブルートゥース（登録商標）装置、陰イオン発生器、充電器、小型デジタルカメラに可動的に取り付けられている。しかしながら、装置とヒンジ止め手段で接続され、軸回転させることができるＵＳＢコネクタは存在しない。
【考案の開示】
【考案が解決しようとする課題】
【０００３】
本考案のＵＳＢコネクタを有する装置の解決しようとする課題は、ヒンジ止めされたＵＳＢコネクタを有する装置を提供し、電力及びデータがコンピュータを介してＵＳＢコネクタに供給し、その電力及びデータをヒンジ止め手段でＵＳＢコネクタに接続されている装置に提供することである。
【課題を解決するための手段】
【０００４】
この目的を達成するため、本考案の装置は、ヒンジ止めされたＵＳＢコネクタを有し、ここで、当該装置の一以上の端部はヒンジ止め手段によりＵＳＢコネクタに接続されている。
【０００５】
装置の端部には、凹型スロットが設けられる。凹型スロットの両側面にはそれぞれヒンジシャフトを挿入するための挿入孔が設けられる。ＵＳＢコネクタは凸部を有し、その形状及び位置は凹型スロットに対応している。凸部は、凹型スロットに挿入され、凹型スロットの挿入孔に対応する箇所にヒンジシャフトを挿入するための貫通孔を有する。ヒンジシャフトによりＵＳＢコネクタ及び装置が接続される。
【０００６】
他の実施形態として、装置に接続されるＵＳＢコネクタの端部に凹型スロットが設けられる。凹型スロットの両側面には、位置決めピンの挿入のための挿入孔が設けられる。装置は凸部を有し、その形状及び位置は凹型スロットに対応している。凸部は、凹型スロットの挿入孔に対応する位置に、位置決めピンを有する。凸部は、挿入孔に挿入された位置決めピンを用いて、凹型スロットに挿入される。位置決めピンは、ＵＳＢコネクタ及び装置を接続する。
【０００７】
他の実施形態として、装置の両端部が、ヒンジ止め手段によりＵＳＢコネクタ及び機能デバイスに接続される。
【０００８】
装置の両端部に凹型スロットが設けられる。凹型スロットの両側面には、各々ヒンジシャフトを挿入するための挿入孔が設けられる。ＵＳＢコネクタ及び機能デバイスは凸部を有し、その形状及び位置は受け入れ凹型スロットに対応している。各凸部は、対応する凹型スロットに挿入され、凹型スロットの挿入孔に対応する貫通孔を有する。ヒンジシャフトは、ＵＳＢコネクタ及び機能デバイスを装置に接続する。
【０００９】
さらに他の実施形態として、装置に接続されるＵＳＢコネクタの端部に、凹型スロットが設けられる。装置に接続される機能デバイスの端部にもまた、凹型スロットが設けられる。各凹型スロットの両側面には、位置決めピンを挿入するための挿入孔が形成される。装置の両端部には凸部が設けられ、その形状及び位置は、ＵＳＢコネクタ又は機能デバイスの凹型スロットに対応している。凸部は、各凹型スロットの挿入孔に対応する位置に、位置決めピンを有する。位置決めピンは、ＵＳＢコネクタ及び機能デバイスを装置に接続する。
【００１０】
さらに他の実施形態として、装置の一端に、凹型スロットが設けられる。装置に接続されるＵＳＢコネクタの端部には、凸部があり、その形状及び位置は凹型スロットに対応している。装置の他の一端には凸部が設けられ、その形状及び位置は、装置に接続されている機能デバイスの凹型スロットに対応している。各凸部は、各凹型スロットの挿入孔に対応する位置に、位置決めピンを有する。位置決めピンは、ＵＳＢコネクタ及び機能デバイスを装置に接続する。
【００１１】
ケーブルは、ヒンジシャフト又は位置決めピンの貫通孔を通り、ＵＳＢコネクタ及び装置に接続される。
【００１２】
この装置は、照明装置、ＵＳＢフラッシュディスク、ＭＰ３機器、ブルートゥース（登録商標）機器、陰イオン発生器、充電器、小型デジタルカメラに適用可能である。
【００１３】
本考案の目的の一つは、電力及びデータがコンピュータを介してＵＳＢコネクタに供給され、よって、ヒンジ止め手段によってＵＳＢコネクタに接続された装置に電力及びデータを提供することができる、ヒンジ止めされたＵＳＢコネクタを有する装置を提供することでり、かかる装置はシンプルで、信頼性のある構造であって、使用及び持ち運びに便利であり、よって先行技術の不利な点を克服するものである。
【００１４】
本考案の他の目的は、その装置が照明装置として使用される場合に、照明器具の先端部が回転し、180℃を超える角度で照明の角度を調節可能で、最適な照明角度を得ることができる、ヒンジ止めされたＵＳＢコネクタを有する装置を提供することである。かかる照明装置は、夜間照明のためのＵＳＢ充電可能照明器具として提供可能である。
【００１５】
本考案のさらに他の目的は、その装置が照明装置として使用される場合に、バッテリーの充電状態を表示するように制御回路が内蔵され、装置の保護作用を提供する、ヒンジ止めされたＵＳＢコネクタを有する装置を提供することである。
【考案を実施するための最良の形態】
【００１６】
以下に実施形態を示して本考案のＵＳＢコネクタを有する装置を具体的に説明するが、本考案はこれらに限定されるものではない。
【００１７】
図１は、本考案のＵＳＢコネクタを有する装置の第一の実施形態を示し、ＵＳＢフラッシュディスク又はＭＰ３機器に適用されたものである。ＵＳＢフラッシュディスク又はＭＰ３機器１０１の端部には、凹型スロット２２が設けられる。凹型スロット２２の両側面には、ヒンジシャフト４００を挿入するための挿入孔が設けられる。ＵＳＢコネクタ２は、凸部２１を有し、その形状及び位置は凹型スロット２２に対応している。凸部２１は、凹型スロット２２に挿入され、凹型スロット２２の挿入孔に対応する位置に、ヒンジシャフト４００を挿入するための貫通孔を有する。ヒンジシャフト４００は、ＵＳＢコネクタ２とＵＳＢフラッシュディスク又はＭＰ３機器１０１を接続する。ケーブルはヒンジシャフト４００の貫通孔を通り、ＵＳＢコネクタ２及びＵＳＢフラッシュディスク又はＭＰ３機器１０１に接続される。
【００１８】
図２は、本考案のＵＳＢコネクタを有する装置の第二の実施形態を示し、ブルートゥース（登録商標）機器又は小型デジタルカメラに適用されたものである。ブルートゥース（登録商標）機器又は小型デジタルカメラ１０２に接続されたＵＳＢコネクタ２の端部には、凹型スロット２２が設けられる。凹型スロット２２の両側面には、位置決めピン４０１を挿入するための挿入孔２２１が設けられる。ブルートゥース（登録商標）機器又は小型デジタルカメラ１０２は、凸部２１を有し、その形状及び位置は凹型スロット２２に対応している。凸部２１は、凹型スロット２２の挿入孔２２１に対応する位置に、位置決めピン４０１を有する。凸部２１は、挿入孔２２１に挿入される位置決めピン４０１によって、凹型スロット２２に挿入される。位置決めピン４０１は、ＵＳＢコネクタ２とブルートゥース（登録商標）機器又は小型デジタルカメラ１０２を接続する。ケーブルは、位置決めピン４０１の貫通孔を通り、ＵＳＢコネクタ２及びブルートゥース（登録商標）機器又は小型デジタルカメラ１０２に接続される。
【００１９】
図３、図６及び図７は、本考案のＵＳＢコネクタを有する装置の第三の実施形態を示し、ＵＳＢ充電可能照明器具に適用されたものである。ＵＳＢ充電可能照明器具の充電器１０３の一端１１は、ヒンジ止め手段によって、ＵＳＢコネクタ２に接続されている。充電器１０３の他の一端１２は、ヒンジ止め手段によって、照明装置３０１に接続されている。充電器１０３の各端部には、凹型スロット２２、３２が設けられる。凹型スロット２２、３２の両側面には、ヒンジシャフト４００を挿入するための挿入孔２２１、３２１が設けられる。ＵＳＢコネクタ２及び照明装置３０１は、凸部２１、３１を有し、その形状及び位置は凹型スロット２２、３２に対応している。凸部２１、３１は各々、凹型スロット２２、３２に挿入され、ヒンジシャフト４００を挿入するために、凹型スロット２２、３２の各挿入孔２２１、３２１に対応する位置に貫通孔４１を有する。ヒンジシャフト４００は、ＵＳＢコネクタ２及び照明装置３０１を充電器１０３に接続する。充電器１０３表面の、照明装置３０１に近い箇所に、スイッチ１４が設けられる。照明装置３０１の端部には、透明なプラスチック素材でできたランプシェード３３が設けられる。ＬＥＤランプ（図示なし）が、照明装置３０１の内部の電球ホルダに収容される。ケーブルがヒンジシャフト４００の貫通孔４１を通り、ＵＳＢコネクタ２及び照明装置３０１に各々接続される。
【００２０】
本装置を使用する際には、まずＵＳＢコネクタのカバーを外し、ＵＳＢコネクタ２をコンピュータのＵＳＢポートに接続する。内蔵の充電池がコンピュータの直流電源で充電され、シグナルライトが充電状態を示す。充電完了後、本考案の装置をコンピュータのＵＳＢポートから取り外す。実行時の必要性に応じ、ＵＳＢコネクタ２の角度を調節し、照明装置の位置を調節する。照明のスイッチを入れることにより、照明の電源が入る。照明の最適角度を調節するために照明器具の上部が回転可能である。使用後は、カバーをＵＳＢコネクタにかぶせる。
【００２１】
図４は、本考案のＵＳＢコネクタを有する装置の第四の実施形態を示し、陰イオン発生器に適用されたものである。陰イオン発生器１０４の一端１１は、ヒンジ止め手段によって、ＵＳＢコネクタ２に接続される。陰イオン発生器の１０４の他の一端１２は、ヒンジ止め手段によって、放出口３０２に接続される。ＵＳＢコネクタ２又は放出口３０２の陰イオン発生器側の端部には、凹型スロット２２、３２が設けられる。各凹型スロット２２、３２の両側面には、位置決めピン４０１を挿入するために、各々挿入孔２２１、３２１が設けられる。陰イオン発生器１０４の各端部には、凸部２１、３１が設けられ、その形状及び位置はＵＳＢコネクタ２及び放出口３０２の凹型スロット２２、３２に対応している。凸部２１、３１は対応する凹型スロット２２、３２に挿入され、位置決めピン４０１を挿入するために、凹型スロット２２、３２の挿入孔２２１、３２１に対応する箇所に貫通孔４１を有する。位置決めピン４０１は、ＵＳＢコネクタ２及び放出口３０２を各々陰イオン発生器に接続する。気体輸送管がヒンジシャフト４００の貫通孔を通り、陰イオン発生器１及び放出口３０２に接続される。
【００２２】
図５は、本考案のＵＳＢコネクタを有する装置の第五の実施形態を示し、充電器に適用されたものである。充電器１０５の一端１１には、凹型スロット２２が設けられる。ヒンジ止め手段により充電器１０５に接続されるＵＳＢコネクタ２の端部には、凸部２１が形成され、その形状及び位置は凹型スロット２２に対応している。充電器の他の一端１２には、凸部３１が設けられ、その形状及び位置は充電ソケット３０３の凹型スロット３２に対応しており、ヒンジ止め手段によって充電器１０５に接続される。各凸部２１、３１は、凹型スロット２２、３２の挿入孔２２１、３２１に対応する位置に、位置決めピン４０１を有する。各凸部２１、３１は、挿入孔２２１、３２１に挿入される位置決めピン４０１によって、各凹型スロット２２、３２に挿入される。位置決めピン４０１は、ヒンジ止め手段によって、ＵＳＢコネクタ２及び充電ソケット３０３を充電器１０５に接続する。ケーブルは、位置決めピン４０１の貫通孔を通り、ＵＳＢコネクタ２及び充電器１に接続される。
【産業上の利用可能性】
【００２３】
以上説明したように、本考案のＵＳＢコネクタを有する装置により、装置とヒンジ止めされたＵＳＢコネクタを提供し、軸回転させることが可能となる。
【図面の簡単な説明】
【００２４】
【図１】本考案のＵＳＢコネクタを有する装置の第一の実施形態を示す図である。
【図２】本考案のＵＳＢコネクタを有する装置の第二の実施形態を示す図である。
【図３】本考案のＵＳＢコネクタを有する装置の第三の実施形態を示す図である。
【図４】本考案のＵＳＢコネクタを有する装置の第四の実施形態を示す図である。
【図５】本考案のＵＳＢコネクタを有する装置の第五の実施形態を示す図である。
【図６】本考案のＵＳＢコネクタを有する装置の第三の実施形態の側面図である。
【図７】本考案のＵＳＢコネクタを有する装置の第三の実施形態の使用状態を示す図である。
【符号の説明】
【００２５】
１０１  ＵＳＢフラッシュディスク又はＭＰ３機器
１０２  ブルートゥース（登録商標）機器又は小型デジタルカメラ
１０３  ＵＳＢ充電可能照明器具の充電器
１０４  陰イオン発生器
１０５  充電器
１１    一端
１２    他の一端
２      ＵＳＢコネクタ
２１    凸部
２２    凹型スロット
２２１  挿入孔
３０１  照明装置
３０２  放出口
３０３  充電ソケット
３１    凸部
３２    凹型スロット
３２１  挿入孔
４００  ヒンジシャフト
４０１  位置決めピン
４１    貫通孔
【図１】
0003111920.tif 000003
【図２】
0003111920.tif 000004
【図３】
0003111920.tif 000005
【図４】
0003111920.tif 000006
【図５】
0003111920.tif 000007
【図６】
0003111920.tif 000008
【図７】
0003111920.tif 000009